(57)【要約】  １以上のホームエージェントの実質的に静的なリスト（１３）を有する外部エージェント（１０）は、所与のホームエージェントが移動インターネットプロトコル呼をサポートする能力に関して十分に不応答になった場合を判断する（２２）。このような判断を行うと、外部エージェントは、１以上の所定の動作を選択可能に行うことができる（２４）。移動インターネットプロトコル呼のサポートに関して、このような動作は、不応答ホームエージェントが呈する結果を緩和するかまたは改善するのに好ましくは役立つ。
2008529356.tif 000002
【特許請求の範囲】
【請求項１】
外部エージェントを使用する方法であって、
少なくとも１つのホームエージェントを特定する実質的に静的なリストを備える工程と、
少なくとも１つのホームエージェントが、移動インターネットプロトコルの処理をサポートする能力に関して十分に不応答である場合を判断する工程と、を含む方法。
【請求項２】
請求項１に記載の方法であって、
前記少なくとも１つのホームエージェントが、移動インターネットプロトコルの処理をサポートする能力に関して十分に不応答であると判断すると、前記少なくとも１つのホームエージェントを不応答として特定する工程を、さらに含む方法。
【請求項３】
請求項１に記載の方法であって、
前記少なくとも１つのホームエージェントが、移動インターネットプロトコルの処理をサポートする能力に関して十分不応答である場合を判断する工程は、
所与のホームエージェントを宛て先とした少なくとも所定の割合の移動インターネットプロトコル呼が、失敗したことを判断する工程を、含む方法。
【請求項４】
請求項３に記載の方法であって、
所与のホームエージェントを宛て先とした少なくとも所定の割合の移動インターネットプロトコル呼が、失敗したことを判断する工程は、
所与のホームエージェントを宛て先とした少なくとも所定の割合の移動インターネットプロトコル呼が、前記所与のホームエージェントから応答がないことにより失敗したことを判断する工程を、さらに含む方法。
【請求項５】
請求項３に記載の方法であって、
所与のホームエージェントを宛て先とした少なくとも所定の割合の移動インターネットプロトコル呼が、前記所与のホームエージェントから応答がないことにより失敗したことを判断する工程は、
所与のホームエージェントを宛て先とした少なくとも所定の割合の移動インターネットプロトコル呼が、所定の時間の間、前記所与のホームエージェントから応答がないことにより失敗したことを判断する工程を、さらに含む方法。
【請求項６】
請求項３に記載の方法であって、
前記所定の割合は、前記所与のホームエージェントを宛て先として試行された、少なくとも幾つかの移動インターネットプロトコル呼を含むが、全てを含まない方法。
【請求項７】
請求項３に記載の方法であって、
所与のホームエージェントを宛て先とした少なくとも所定の割合の移動インターネットプロトコル呼が、失敗したことを判断する工程は、
所与のホームエージェントを宛て先とした、少なくとも所定数の連続する移動インターネットプロトコル呼が、失敗したことを判断する工程を、さらに含む方法。
【請求項８】
請求項１に記載の方法であって、
前記少なくとも１つのホームエージェントが、移動インターネットプロトコルの処理をサポートする能力に関して十分に不応答である場合を判断する工程は、
所与のホームエージェントを宛て先とした、少なくとも所定の割合の移動インターネットプロトコルメッセージが、失敗したことを判断する工程を、含む方法。
【請求項９】
請求項８に記載の方法であって、
前記移動インターネットプロトコルメッセージは、
移動インターネットプロトコル登録要求メッセージ、
移動インターネットプロトコル登録取り消しメッセージ、
の少なくとも１つを含む方法。
【請求項１０】
請求項８に記載の方法であって、
所与のホームエージェントを宛て先とした少なくとも所定の割合の移動インターネットプロトコル登録メッセージが、失敗したことを判断する工程は、
所与のホームエージェントを宛て先とした少なくとも所定の割合の移動インターネットプロトコル登録メッセージが、前記所与のホームエージェントから応答がないことにより失敗したことを判断する工程を、さらに含む方法。
【請求項１１】
請求項８に記載の方法であって、
所与のホームエージェントを宛て先とした少なくとも所定の割合の移動インターネットプロトコル登録メッセージが、前記所与のホームエージェントから応答がないことにより失敗したことを判断する工程は、
所与のホームエージェントを宛て先とした少なくとも所定の割合の移動インターネットプロトコル登録メッセージが、所定の時間の間、前記所与のホームエージェントから応答がないことにより失敗したことを判断する工程を、さらに含む方法。
【請求項１２】
請求項１１に記載の方法であって、
前記所定の割合は、前記所与のホームエージェントを宛て先として試行された、少なくとも幾つかの移動インターネットプロトコル登録メッセージを含むが、全てを含まない方法。
【請求項１３】
請求項８に記載の方法であって、
所与のホームエージェントを宛て先とした少なくとも所定の割合の移動インターネットプロトコル登録メッセージが、失敗したことを判断する工程は、
所与のホームエージェントを宛て先とした、少なくとも所定数の連続する移動インターネットプロトコル登録メッセージが失敗したことを判断する工程を、さらに含む方法。
【請求項１４】
請求項１に記載の方法であって、
前記少なくとも１つのホームエージェントが、移動インターネットプロトコルの処理をサポートする能力に関して十分に不応答であることを判断すると、少なくとも１つの所定の動作を行う工程を、さらに含む方法。
【請求項１５】
請求項１４に記載の方法であって、前記少なくとも１つの所定の動作は、
前記実質的に静的なリストにおける前記少なくとも１つのホームエージェントを不応答であるとして特定する動作、
前記少なくとも１つのホームエージェントに新しい移動インターネットプロトコル呼を送信しない動作、
少なくとも所定の時間の間は、前記少なくとも１つのホームエージェントに新しい移動インターネットプロトコル呼を送信しない動作、
前記少なくとも１つのホームエージェントに関して対応する情報信号を発信する動作、
前記少なくとも１つのホームエージェントによって、その時サービス提供されている既存移動インターネットプロトコル呼を終了させる動作、
前記少なくとも１つのホームエージェントによって、その時サービス提供されている既存移動インターネットプロトコル呼を再開する動作、
の少なくとも１つの動作を含む方法。
【請求項１６】
請求項１５に記載の方法であって、少なくとも所定の時間の間は前記少なくとも１つのホームエージェントに新しい移動インターネットプロトコル呼を送信しない動作は、
前記所定の時間の間の後に、前記少なくとも１つのホームエージェントに移動インターネットプロトコル呼を送信することを再度試行する工程を、さらに含む方法。
【請求項１７】
請求項１５に記載の方法であって、前記少なくとも１つのホームエージェントによってその時サービス提供されている既存移動インターネットプロトコル呼を終了させる動作は、
リンク制御プロトコル終了メッセージにより、前記少なくとも１つのホームエージェントによってその時サービス提供されている既存移動インターネットプロトコル呼を終了させる工程、
リンク制御プロトコル・リネゴーシエイションを実行することにより、前記少なくとも１つのホームエージェントによってその時サービス提供されている既存移動インターネットプロトコル呼に、異なるホームエージェントとの移動インターネットプロトコルを再開させる工程、
の少なくとも１つをさらに含む方法。
【請求項１８】
請求項１５に記載の方法であって、前記少なくとも１つのホームエージェントに関して対応する情報信号を発信する動作は、
ＳＮＭＰ (Simple Network Management Protocol)を使用して、対応する情報信号を発信する工程を、さらに含む方法。
【請求項１９】
請求項１４に記載の方法であって、前記少なくとも１つの所定の動作は、
少なくとも十分な数のホームエージェントが現在不応答であるかを判断する動作と、
十分な数のホームエージェントが現在不応答であると判断すると、情報信号を発信する動作と、を含む方法。
【請求項２０】
外部エージェントを使用する方法であって、
少なくとも１つのホームエージェントを特定する実質的に静的なリストを備える工程と、
移動インターネットプロトコルの処理をサポートする能力に関して十分に不応答である、前記実質的に静的なリストにおける所与のホームエージェントに関して、少なくとも１つの所定の動作を行う工程と、を含む方法。
【請求項２１】
請求項２０に記載の方法であって、前記少なくとも１つの所定の動作は、
前記実質的に静的なリストにおける前記所与のホームエージェントを不応答であるとして特定する動作、
前記所与のホームエージェントに新しい移動インターネットプロトコル呼を送信しない動作、
少なくとも所定の時間の間は、前記所与のホームエージェントに新しい移動インターネットプロトコル呼を送信しない動作、
前記所与のホームエージェントに関して対応する情報信号を発信する動作、
前記所与のホームエージェントによって、その時サービス提供されている既存移動インターネットプロトコル呼を終了させる動作、
前記所与のホームエージェントによって、その時サービス提供されている既存移動インターネットプロトコル呼を再開する動作、
の少なくとも１つの動作を含む方法。
【請求項２２】
請求項２１に記載の方法であって、少なくとも所定の時間の間は、前記所与のホームエージェントに新しい移動インターネットプロトコル呼を送信しない動作は、
前記所定の時間の間の後に、前記所与のホームエージェントに移動インターネットプロトコル呼を送信することを再度試行する工程を、さらに含む方法。
【請求項２３】
請求項２１に記載の方法であって、前記所与のホームエージェントによって、その時サービス提供されている既存移動インターネットプロトコル呼を終了させる動作は、
リンク制御プロトコル終了メッセージにより、前記所与のホームエージェントによってその時サービス提供されている既存移動インターネットプロトコル呼を終了させる工程、
リンク制御プロトコル・リネゴーシエイションを実行することにより、前記所与のホームエージェントによってその時サービス提供されている既存移動インターネットプロトコル呼に、異なるホームエージェントとの移動インターネットプロトコルを再開させる工程、
の少なくとも１つをさらに含む方法。
【請求項２４】
請求項２１に記載の方法であって、前記所与のホームエージェントに関して対応する情報信号を発信する動作は、
ＳＮＭＰ (Simple Network Management Protocol)を使用して、対応する情報信号を発信する工程を、さらに含む方法。
【請求項２５】
請求項２１に記載の方法であって、前記少なくとも１つの所定の動作は、
少なくとも十分な数のホームエージェントが現在不応答であるかを判断する動作と、
十分な数のホームエージェントが現在不応答であると判断すると、情報信号を発信する動作と、を含む方法。
【請求項２６】
請求項２０に記載の方法であって、
移動インターネットプロトコルの処理をサポートする能力に関して前記所与のホームエージェントが十分に不応答であると判断する工程を、さらに含む方法。
【請求項２７】
外部エージェントであって、
少なくとも１つのホームエージェントを特定する実質的に静的なリストと、
ホームエージェント・インタフェースと、
前記実質的に静的なリストおよび前記ホームエージェント・インタフェースに、動作上接続される移動インターネットプロトコル呼プロセッサと、
前記ホームエージェント・インタフェースに動作上接続され、前記実質的に静的なリストに動作上接続される応答性指示器出力を有する、ホームエージェントの移動インターネットプロトコル呼の応答性評価器と、を備える。
【請求項２８】
請求項２７に記載の外部エージェントであって、
前記実質的に静的なリストは、複数のホームエージェントを特定する。
【請求項２９】
請求項２７に記載の外部エージェントであって、
ホームエージェントの移動インターネットプロトコル呼の応答性評価器は、前記少なくとも１つのホームエージェントが、移動インターネットプロトコルの処理をサポートする能力に関して十分に不応答である場合を判断する手段を、備える。
【請求項３０】
請求項２９に記載の外部エージェントであって、
前記少なくとも１つのホームエージェントが、移動インターネットプロトコルの処理をサポートする能力に関して十分に不応答である場合を判断する前記手段は、
前記少なくとも１つのホームエージェントを宛て先とした少なくとも所定の割合の移動インターネットプロトコル呼が失敗したことを判断する手段を、さらに備える。
【請求項３１】
請求項２９に記載の外部エージェントであって、
前記少なくとも１つのホームエージェントが、移動インターネットプロトコルの処理をサポートする能力に関して十分に不応答である場合を判断する前記手段は、
前記少なくとも１つの所与のホームエージェントを宛て先とした少なくとも所定の割合の移動インターネットプロトコルメッセージが失敗したことを判断する手段を、さらに備える。
【請求項３２】
請求項２７に記載の外部エージェントであって、
前記ホームエージェントの移動インターネットプロトコル呼の応答性評価器は、前記少なくとも１つのホームエージェントが、移動インターネットプロトコルの処理をサポートする能力に関して全く不応答であると判断すると、少なくとも１つの所定の動作を行う手段を、さらに備える。
【請求項３３】
請求項３２に記載の外部エージェントであって、前記少なくとも１つの所定の動作は、
前記実質的に静的なリストにおける前記少なくとも１つのホームエージェントを不応答であるとして特定する動作、
前記少なくとも１つのホームエージェントに新しい移動インターネットプロトコル呼を送信しない動作、
少なくとも所定の時間の間は、前記少なくとも１つのホームエージェントに新しい移動インターネットプロトコル呼を送信しない動作、
前記少なくとも１つのホームエージェントに関して対応する情報信号を発信する動作、
前記少なくとも１つのホームエージェントによって、その時サービス提供されている既存移動インターネットプロトコル呼を終了させる動作、
前記少なくとも１つのホームエージェントによって、その時サービス提供されている既存移動インターネットプロトコル呼を再開する動作、
の少なくとも１つの動作を含む。
【発明の詳細な説明】
【技術分野】
【０００１】
本発明は、一般的にネットワーク通信を容易にするために使用する外部エージェント（foreign agents）に関し、より詳細には、移動インターネットプロトコルの処理(mobile Internet Protocol transactions)に関する。
【背景技術】
【０００２】
インターネットプロトコルを基本とする通信は、当技術において良く理解されている。このことは、移動局(mobile stations)の支援（サポート）を含む。一手法（シンプルなインターネットプロトコルとして知られることがよくある）によれば、そのホームエリアから外に出た（そして従って、その対応するホームエージェント：home agent（またはエージェント）との即時のコンタクトから遠ざかった）移動局は、一時的でローカルなインターネット・プロトコル・アドレスが、その通信を遂行する場合に使用するために、外部エージェントにより、割り当てられることがある。別の手法（移動インターネットプロトコルとして知られることがよくある）によれば、外部エージェントは移動局による所謂移動インターネット・プロトコル・アドレスの使用を認める手法において、外に出ている移動局のホームエージェントと通信することができる。
【０００３】
移動インターネットプロトコル呼の容易化を支援するために、多くの場合、外部エージェントは、静的に用意する１以上のホームエージェントのリスト（本明細書で使用する場合、静的に用意するリストは、必ずしも永久的または他の変化することのないリストを含むというわけではないと理解されるだろう。替わりに、静的に用意するリストは、比較的一定であり、典型的には臨時に時々更新されるエントリーリストを含むと理解されるだろう。）を備えるだろう。移動インターネットプロトコル呼を支援する必要が生じる場合、このような外部エージェントは、適切な許可を遂行し、対応する移動局により対応する移動インターネット・プロトコル・アドレスを使用するために、リストのホームエージェントとコンタクトすることができる。
【０００４】
このような手法は、一般的に、外部エージェントを介しておよび通じて移動インターネットプロトコル呼を支援することを意図する目的を遂行するために、良好に役立つ。しかしながら、問題が生じる可能性または問題が生じる状況が存在する。例えば、広く様々な理由により、所与のホームエージェントが、完全には応答しなくなることがある。この応答性の欠如は、全体的ないし部分的な障害に亘ることがあり、また継続的または間歇的であることがある。このような問題は、ホームエージェント自体および／またはホームエージェントと外部エージェントとの間の通信経路に伴う問題により生じることがある。このような問題が生じる場合、外部エージェントによるホームエージェントと相互動作をする試みは、部分的または完全に失敗することがよくある。その場合、これは、外部エージェントがサービスを提供している少なくとも幾つかの移動局の通信ニーズを支援することの遅延および／または不可能性に至ることがある。
【発明を実施するための最良の形態】
【０００５】
特に図面と共に検討すると、以下の詳細な説明に記載される、ホームエージェント(home agent)の不応答性に関する外部エージェント（foreign agent）の動作を容易にする方法および装置の提供により、上記のニーズは、少なくとも部分的には満たされる。
【０００６】
図面における要素は単純性および明瞭性を目指して図示し、必ずしも一定の縮尺で描いていないことを当該者は理解しよう。例えば、図における幾つかの要素の寸法および／または相対的位置取りを他の要素に対して強調し、本発明の種々の実施形態の理解をより良くするのを助けることがある。また、本発明のこれら種々の実施形態をあまり妨げることなく見やすくするために、商業的に実行可能な実施形態において有用、または必要な一般的であるが、良く理解される要素を描写しないことがよくある。本明細書において特別の意味を別途記述する場合を除いて、本明細書において使用する用語および表現は、調査および検討する対応するそれぞれの分野に関するこのような用語および表現に一致する通常の意味を有することもまた理解されよう。
【０００７】
一般的に言えば、これら種々の実施形態によれば、少なくとも１つのホームエージェントを特定する実質的に静的なリストを備える外部エージェントは、このようなホームエージェント（またはエージェント）が移動インターネットプロトコルの制約を支援する能力に関して全く不応答である場合を判断することができる。好ましい手法によれば、このようなホームエージェントを特定すると、外部エージェントは、少なくとも１つの所定の動作を行う。
【０００８】
このような判断を起こす不応答性の十分性またはレベルは、所与の設定ニーズおよび一組の状況と共に変化することがある。所望であれば、このような判断を、所与のホームエージェントに宛て先指定をした移動インターネットプロトコル呼またはメッセージが、少なくとも所定の割合失敗したか（例えば、所定の時間の間におよび／または十分な数のまたは十分な一貫性および規則性により）のような要因に関して、少なくとも部分的には測定することができる。
【０００９】
同様に、外部エージェントは、不応答ホームエージェントの特定に応じて、広く様々な所定の動作を行うことができる。例示的動作は、幾つかを挙げれば、その特定のホームエージェントのその後の回避（少なくとも例えば、ある所定の時間の間）、対応する情報信号（警報などであるが、これに限定されない）の発信、および、その不応答ホームエージェントがその時サービスを提供している既存移動インターネットプロトコル呼の適切な取り扱いなどを含む。しかし、これらに限定されない。
【００１０】
このように構成すると、通常の動作条件の中で、移動インターネットプロトコル呼は、外部エージェントにより、容易に処理される。しかしながら、ホームエージェントのアクセスが十分に関心を持つ点まで悪化する場合、外部エージェントは、この状態を判断すること、さらに所望であれば、このような状態の結果を緩和することを少なく試行するために適切な改善動作を行うこと、の双方が可能である。
【００１１】
これらおよび他の利点は、以下の詳細な説明の徹底した吟味および検討を行うと、より明らかになるであろう。この点に関しては、図、特に図１を参照し、まず先行技術の実施の簡単な説明を行うことが役立つであろう。この実施によれば、外部エージェント１０は、選択し利用可能な無線接続ネットワーク（radio access network）１２を介して、移動局(mobile station)１３と通信する。移動局１３が移動インターネットプロトコル呼を確立するその要求を伝達するのは、この相互接続による。
【００１２】
外部エージェント１０は、次に、少なくとも１つのホームエージェント１４、より典型的には、複数のホームエージェント１５、１６を、動作上接続する。典型的な設定では、これらホームエージェントの少なくとも１つ（および時には複数）は、移動局１３が要求する移動インターネットプロトコル呼を確認および／または別途容易に処理することができる。
【００１３】
この教示により、そして次に図２を参照すると、外部エージェントは、１以上のこのようなホームエージェントを特定する実質的に静的なリストを備える２１。この情報は、広く様々なソース（sources）のいずれからも提供されることができる。また、この情報は、所与のシステム管理者に選択されるように、および／または、所与のネットワークの構成およびキャパシティにより制限されまたは容易に処理されるように、頻繁に、または稀に更新することができる。典型的な配備では、このリストは、外部エージェントにローカルに格納される。しかし、このような情報は、全部または一部を、そのように所望であれば遠隔に（例えば、認証、許可およびアカウンティング（Authentication, Authorization, and Accounting、ＡＡＡ）サーバに）格納することもできることを当業者は認めるだろう。選択する記憶媒体の特徴となることがある容量制限は別として、このリストに含むことができるホームエージェントの数に特別な制限はない。
【００１４】
この処理２０により、外部エージェントは、次いで、リストに示されるようなホームエージェントの少なくとも１つが、移動インターネットプロトコルのサポート能力に関して十分に不応答である場合を判断する２２。これは、種々の方法で測定することができる。例えば外部エージェントは、少なくとも、所与のホームエージェントを宛て先とした移動インターネットプロトコル呼および／またはホームエージェントメッセージの所定の割合が失敗したことにより、判断することができる。ホームエージェントメッセージは、移動インターネットプロトコル登録要求メッセージ、移動インターネットプロトコル登録取り消しメッセージ、および、現在知られたまたは今後開発されるであろう選択するその他の移動インターネットプロトコルメッセージなどであるが、これらに限定されない
このような判断は、失敗した試行の特定の数に基づくことができ、失敗は、所与のホームエージェントからの応答がないことに対応する。一手法によれば、十分な不応答性は、所定の時間の間に発生される、失敗した移動インターネットプロトコル呼の所定の数（および／または所定のパーセンテージ）に関連させることができる。この判断が、全部または一部、失敗した試行の所定数に基づく場合、この判断は、少なくとも部分的には、所与のホームエージェントを宛て先とした連続する移動インターネットプロトコル呼の所定の数が失敗したかどうか、に基づくことができる。（所望であれば、所与の継続時間内または継続時間外のいずれかで）
少なくとも関心を持つ程度に所与のホームエージェントが不応答であると判断すると２２、この処理２０は、次いで、不応答であるホームエージェントを特定する工程を、選択可能に備えることができる２３。その場合、選択可能ではあるが好ましくは、外部エージェントは、このような判断および／または特定に応じて、少なくとも１つの所定の動作を行うことができる２４。
【００１５】
例えば、外部エージェントは、幾つかの説明上の例を挙げれば、以下の１以上の動作を自動的に遂行することができる。
【００１６】
‐実質的に静的なリストにおける少なくとも１つのホームエージェントを、不応答であると特定する動作；
‐少なくとも１つのホームエージェントに、新しい移動インターネットプロトコル呼を送信しない動作；
‐少なくとも所定の時間の間は、少なくとも１つのホームエージェントに、新しい移動インターネットプロトコル呼を送信しない動作（所望であれば、引き続き、所定の時間の間の後に特定されたホームエージェントに移動インターネットプロトコル呼を送信することを再度試行する）；
‐少なくとも１つのホームエージェントに関して、対応する情報信号（警報信号を管理者に提供するようなものであるが、これに限定されない）を発信する動作（例えば、ＳＮＭＰ：Simple Network Management Protocolを使用して）；
‐少なくとも１つのホームエージェントがその時にサービス提供している既存の移動インターネットプロトコル呼を、終了させる動作（例えば、リンク制御プロトコル（Link Control Protocol）終了メッセージにより、特定されたホームエージェントがその時サービス提供している移動インターネットプロトコル呼を終了させることにより、および／または、特定された不応答ホームエージェントがその時サービス提供している移動インターネットプロトコル呼に、リンク制御プロトコル・リネゴーシエイションを実行することにより異なるホームエージェントとの移動インターネットプロトコルを強制的に再開させることにより）；および
‐少なくとも１つのホームエージェントがその時サービス提供している既存移動インターネットプロトコル呼を、再び開始する動作
既に注記したように、所与の外部エージェントは、複数のホームエージェントを動作上接続することができる。このような場合、少なくとも十分な数のホームエージェントが、関心を表すように、それぞれ現在不応答であるかどうかを判断することを、外部エージェントが行う自動化された所定の動作の中に含むこと（例えば、これらの教示により、外部エージェントが行ったような、不応答に関する先の判断に基づき）、そして、そうであればこの状態を示す情報信号（対応する監督警報または通知など）を発信することは、また有益であるだろう。
【００１７】
このように構成すると、１以上のホームエージェントを特定する実質的に静的なリストを備える外部エージェントは、そのホームエージェントが移動インターネットプロトコルの処理をサポートする能力に関して十分に不応答である場合、所与の記載されたホームエージェントに関しては少なくとも１つの所定の動作を行うことができる。これは次にこのような状況下で行うべき回避方法および／またはその他の改善動作を可能にし、それによりネットワークリソースの効果的使用および可能な場合に過度のサービス遅延を回避する手助けとなる。
【００１８】
これらの教示は、全体的にまたは部分的にプログラム可能なプラットフォームを通常備える広く様々な外部エージェントにより、容易に実行される。説明上の例として、そして図３を参照すると、所与の外部エージェント１０は、関係する部分に、移動インターネットプロトコル呼プロセッサ１１を備えることができる。この移動インターネットプロトコル呼プロセッサ１１は、ホームエージェント・インタフェース１２と、上記したようなホームエージェントの実質的に静的なリストを含むホームエージェント・リスト１３と、を動作上接続する。この外部エージェント１０は、また好ましくは、ホームエージェント・インタフェースに動作上接続されたホームエージェントの移動インターネットプロトコル呼の応答性評価器１４を備え、さらにホームエージェント・リスト１３および／またはインターネットプロトコル呼プロセッサ１１に動作上接続された応答性指示器出力（responsiveness indicator output）を有する。このように構成すると、ホームエージェントの移動インターネットプロトコル呼の応答性評価器１４は、移動インターネットプロトコルの処理をサポートする能力に関して、所与のホームエージェントが十分に不応答である場合を判断するのに役立つ（例えば、上記に述べたような、これに関する１以上の教示を実装することにより）。好ましくは、ホームエージェントの移動インターネットプロトコル呼の応答性評価器１４は、また、所与のホームエージェントがそのような能力に関して不応答であることを判断されると、１以上の所定の動作（上述したような）を自動的に行うことを遂行するように構成される。
【００１９】
本発明の精神および範囲を逸脱することなく以上に記載した実施形態に関して、広く様々な修正、変更および組み合わせを行うことができ、このような修正、変更および組み合わせが本発明の概念の範囲内にあると見るべきであることを、当業者は理解するだろう。
【図面の簡単な説明】
【００２０】
【図１】先行技術の実施により構成されるブロック図を含む図である。
【図２】本発明の種々の実施形態により構成されるフロー図を含む図である。
【図３】本発明の種々の実施形態により構成されるブロック図を含む図である。
【図１】
2008529356.tif 000003
【図２】
2008529356.tif 000004
【図３】
2008529356.tif 000005
【国際調査報告】
2008529356.tif 000006
2008529356.tif 000007